(57)【要約】【課題】副信号のレベルを従来よりも小さくして、簡便な構成で多重光反射による通信品質の劣化を早期に検出することができる通信システムを提供する。【解決手段】検波回路は、分離部２３から入力された副信号を検波し、検波信号をＤＣアンプへ出力する。コンパレータは、ＤＣアンプから入力されたＤＣ信号及び基準電圧Ｖ１に基づいて復調データを生成し、ＡＳＫ復調部２６は、復調データを判定部２７へ出力する。判定部２７は、入力された復調データをデコーダで復号し、復号化されたデータが予め定められた元のデータと一致するか否かを判定する。判定部２７は、復号化されたデータが元のデータと一致する場合には、多重光反射が発生していない判定する。また、判定部２７は、復号化されたデータが元のデータと一致しない場合には、多重光反射によるノイズの影響でデータの誤りが生じたとして、多重光反射が発生したと判定する。【選択図】図１
2007281817.tif 000002
【特許請求の範囲】
【請求項１】
電気信号を光信号に変換し、変換した光信号を光ファイバを通じて送信する送信装置と、該送信装置が送信した光信号を受信し、受信した光信号を電気信号に変換する受信装置とを備える通信システムにおいて、
前記送信装置は、
搬送波を所定のデータレートを有するデータ信号で変調した副信号を生成する変調手段と、
送受信する情報を有する主信号と前記副信号とを合成する合成手段と、
該合成手段が合成した電気信号を光信号に変換する変換手段と
を備え、
前記受信装置は、
受信した光信号を電気信号に変換する変換手段と、
該変換手段で変換された電気信号を主信号と副信号とに分離する分離手段と、
該分離手段で分離された副信号を復調する復調手段と、
該復調手段で復調して得られたデータ信号のデータレート及び前記所定のデータレートに基づいて、光ファイバを通じて送受信される光信号の多重光反射を判定する手段と
を備えることを特徴とする通信システム。
【請求項２】
前記変調手段は、
振幅変調方式で変調するように構成してあることを特徴とする請求項１に記載の通信システム。
【請求項３】
前記変調手段は、
所定のデータを有するデータ信号で搬送波を変調するように構成してあり、
前記復調手段で復調して得られたデータ信号のデータが前記所定のデータと異なる場合、多重光反射による異常と判定する手段を備えることを特徴とする請求項１又は請求項２に記載の通信システム。
【請求項４】
前記分離手段で分離された副信号の信号レベルを検出する検出手段と、
該検出手段で検出された信号レベルを所定の信号閾値と比較する比較手段と、
該比較手段の比較結果に基づいて、多重光反射による異常の有無を判定する手段と
を備えることを特徴とする請求項１乃至請求項３のいずれかに記載の通信システム。
【発明の詳細な説明】
【技術分野】
【０００１】
本発明は、光ファイバを通じて送受信する光信号の多重光反射による通信品質の劣化を検出することができる通信システムに関する。
【背景技術】
【０００２】
携帯電話に代表される移動体無線通信システムでは、無線基地局からの電波が届かない屋内、地下街、ビル等の建物の陰、トンネル内などの不感地対策として、親局と子局との間に光ファイバを施設し、光ファイバを通じて光信号を送受信する光伝送システムが使用されている。また、放送の電波が届かない地域へ放送波を配信するために放送局間の放送波の中継システムとしても利用されている。
【０００３】
このような光伝送システムは、光ファイバを用いることにより広帯域伝送を効率良く実現できることから、無線信号、放送波信号（ＵＨＦ／ＶＨＦ）などのアナログ信号をアナログのまま光信号に変換して伝送するアナログ光伝送方式を採用している。
【０００４】
しかし、光ファイバを用いて光回線を構築する場合、光ファイバ同士を融着して接続し、あるいは、光ファイバをコネクタなどの光部品を用いて接続するため、光回線上に複数の接続点が存在する。このため、光ファイバを伝送する光信号が各接続点で反射し、反射した光信号が再度接続点で反射を繰り返す多重光反射が生じる。多重光反射が発生した場合、反射した光信号が伝送信号にノイズとして現われ、通信品質が劣化するという問題があった。
【０００５】
そこで、主信号と周波数の異なる副信号を主信号に重畳し、副信号が重畳された主信号を電気／光変換して光ファイバに送出し、副信号の高調波をモニタすることにより、多重光反射を検出する光伝送システムが提案されている（特許文献１参照）。
【特許文献１】特開２００５−２２９３７２号公報
【発明の開示】
【発明が解決しようとする課題】
【０００６】
しかしながら、特許文献１のシステムにあっては、副信号の高調波成分又は３次相互変調波成分などを抽出するためのフィルタが必要となり、回路構成が複雑になるという問題があった。また、副信号の高調波成分又は３次相互変調波成分は、副信号の入力レベルの２乗、３乗に比例して小さくなるため、精度良く高調波成分又は３次相互変調波成分を抽出するには、副信号の入力レベルを大きくする必要がある。一方、光伝送システムで伝送可能な信号レベルには上限があるため、副信号の入力レベルを大きくした場合、光ファイバに送出できる主信号のレベルが制限されるという問題もあった。特に、携帯電話又は放送波の光伝送システムにおいては、通信品質が劣化した電波を出力した場合、他の通信チャネルへのシステム障害を生じる虞があり、多重光反射による通信品質の劣化を早期に検出することができる通信システムが望まれていた。
【０００７】
本発明は、斯かる事情に鑑みてなされたものであり、送信装置は、搬送波を所定のデータレートを有するデータ信号で変調した副信号を生成する変調手段を備え、送受信する情報を有する主信号と前記副信号とを合成した電気信号を光信号に変換し、変換した光信号を光ファイバを通じて受信装置へ送信し、該受信装置は、受信した光信号を電気信号に変換し、変換された電気信号を主信号と副信号とに分離し、分離された副信号を復調して得られたデータ信号のデータレート及び前記所定のデータレートに基づいて、光ファイバを通じて送受信される光信号の多重光反射を判定する手段を備えることにより、副信号の高調波成分を用いる必要がなく、副信号のレベルを従来よりも小さくできるとともに、簡便な構成で多重光反射による通信品質の劣化を早期に検出することができる通信システムを提供することを目的とする。
【０００８】
本発明の他の目的は、変調手段は、振幅変調方式で変調することにより、主信号に比較して十分に小さい信号を用いて多重光反射を判定することができる通信システムを提供することにある。
【０００９】
本発明の他の目的は、変調手段は、所定のデータを有するデータ信号で搬送波を変調し、副信号を復調して得られたデータ信号のデータが前記所定のデータと異なる場合、多重光反射による異常と判定する手段を備えることにより、多重光反射による通信品質の劣化を精度良く判定することができる通信システムを提供することにある。
【００１０】
本発明の他の目的は、分離された副信号の信号レベルを検出し、検出された信号レベルを所定の信号閾値と比較した比較結果に基づいて、多重光反射による異常の有無を判定する手段を備えることにより、多重光反射以外の要因による通信品質の劣化を層別して、さらに精度良く多重光反射による通信品質の劣化を判定することができる通信システムを提供することにある。
【課題を解決するための手段】
【００１１】
第１発明に係る通信システムは、電気信号を光信号に変換し、変換した光信号を光ファイバを通じて送信する送信装置と、該送信装置が送信した光信号を受信し、受信した光信号を電気信号に変換する受信装置とを備える通信システムにおいて、前記送信装置は、搬送波を所定のデータレートを有するデータ信号で変調した副信号を生成する変調手段と、送受信する情報を有する主信号と前記副信号とを合成する合成手段と、該合成手段が合成した電気信号を光信号に変換する変換手段とを備え、前記受信装置は、受信した光信号を電気信号に変換する変換手段と、該変換手段で変換された電気信号を主信号と副信号とに分離する分離手段と、該分離手段で分離された副信号を復調する復調手段と、該復調手段で復調して得られたデータ信号のデータレート及び前記所定のデータレートに基づいて、光ファイバを通じて送受信される光信号の多重光反射を判定する手段とを備えることを特徴とする。
【００１２】
第２発明に係る通信システムは、第１発明において、前記変調手段は、振幅変調方式で変調するように構成してあることを特徴とする。
【００１３】
第３発明に係る通信システムは、第１発明又は第２発明において、前記変調手段は、所定のデータを有するデータ信号で搬送波を変調するように構成してあり、前記復調手段で復調して得られたデータ信号のデータが前記所定のデータと異なる場合、多重光反射による異常と判定する手段を備えることを特徴とする。
【００１４】
第４発明に係る通信システムは、第１発明乃至第３発明のいずれかにおいて、前記分離手段で分離された副信号の信号レベルを検出する検出手段と、該検出手段で検出された信号レベルを所定の信号閾値と比較する比較手段と、該比較手段の比較結果に基づいて、多重光反射による異常の有無を判定する手段とを備えることを特徴とする。
【００１５】
第１発明にあっては、送信装置は、送受信する情報を有する主信号（例えば、２ＧＨｚ帯域）と副信号（３１５ＭＨｚ帯域）とを合成した電気信号を光信号に変換し、光ファイバを通じて、変換した光信号を受信装置へ送信する。光ファイバなどの光伝送路で多重光反射が発生した場合、伝送する光信号にガウス状のノイズが発生する。変調された副信号の場合には、副信号の側波帯に多重光反射によるノイズが生じる。受信装置で受信した光信号を電気信号に変換し、変換した電気信号を主信号と副信号とに分離する。光伝送路で多重光反射が発生した場合、分離された副信号の側波帯にはノイズが含まれている。側波帯に生じたノイズの影響により、分離された副信号を復調して得られたデータ信号には、誤りが生じる（例えば、ハイレベルがローレベルになる場合、ローレベルがハイレベルになる場合など）。このため、データ信号のデータレートは、送信時に比べて高くなる。復調して得られたデータ信号のデータレート及び送信時の所定のデータレートに基づいて、光ファイバを通じて送受信される光信号の多重光反射を判定することができる。これにより、副信号の高調波成分を用いる必要がなく、副信号のレベルを従来よりも小さくできるとともに、複雑なフィルタを構成することなく簡便な構成で多重光反射による通信品質の劣化を早期に検出することができる。
【００１６】
第２発明にあっては、搬送波をデータ信号で振幅変調して副信号を生成する。副信号の高調波成分を抽出する場合に比べて、副信号の信号レベルは、振幅復調できる程度の信号レベルで足りるため、主信号に比較して十分に小さく信号レベルを用いることができ、光ファイバに送出できる主信号のレベルが制限されることがなく、送信装置に入力される信号レベルの大部分を主信号で占めることができる。
【００１７】
第３発明にあっては、送信装置は、予め定められ、受信装置側で解読可能な所定のデータを有するデータ信号で搬送波を変調して副信号を生成する。受信装置は、受信した副信号を復調して得られたデータ信号のデータが前記所定のデータと異なる場合、多重光反射による通信品質の劣化が発生していると判定する。一方、受信装置は、受信した副信号を復調して得られたデータ信号のデータが前記所定のデータと同一である場合、多重光反射による通信品質の劣化が発生していないと判定する。送信時のデータと受信時のデータの一致不一致に基づいて多重光反射による異常の有無を判定するため、多重光反射による通信品質の劣化を精度良く判定することができる。
【００１８】
第４発明にあっては、受信装置は、分離された副信号の信号レベルを検出する。復調して得られた元のデータに誤りが生ずる要因として、光伝送路における多重光反射の他に、送信装置の電気信号を光信号に変換する電気／光変換部若しくは受信装置の光信号を電気信号に変換する光／電気変換部の故障、又は光回線の損失増加などにより、副信号の信号レベルの低下が想定される。受信装置で検出された副信号の信号レベルを所定の信号閾値と比較した比較結果に基づいて、多重光反射による異常の有無を判定する。例えば、信号レベルが信号閾値より小さい場合には、通信品質の劣化が多重光反射以外の要因によるものであると判定し、また、信号レベルが信号閾値より大きい場合には、多重光反射以外の要因ではなく、多重光反射による通信品質の劣化であると判定する。これにより、多重光反射以外の要因による通信品質の劣化を層別して、さらに精度良く多重光反射による通信品質の劣化を判定することができる。
【発明の効果】
【００１９】
本発明にあっては、送信装置は、搬送波を所定のデータレートを有するデータ信号で変調した副信号を生成する変調手段を備え、送受信する情報を有する主信号と前記副信号とを合成した電気信号を光信号に変換し、変換した光信号を光ファイバを通じて受信装置へ送信し、該受信装置は、受信した光信号を電気信号に変換し、変換された電気信号を主信号と副信号とに分離し、分離された副信号を復調して得られたデータ信号のデータレート及び前記所定のデータレートに基づいて、光ファイバを通じて送受信される光信号の多重光反射を判定する手段を備えることにより、副信号の高調波成分を用いる必要がなく、副信号のレベルを従来よりも小さくできるとともに、複雑なフィルタを構成することなく簡便な構成で多重光反射による通信品質の劣化を早期に検出することができる。
【発明を実施するための最良の形態】
【００２０】
実施の形態１
以下、本発明をその実施の形態を示す図面に基づいて説明する。図１は本発明に係る通信システム１００を示す構成図である。通信システム１００は、送信装置１、受信装置２、光ファイバ３などを備えている。送信装置１は、合成部１１、Ｅ／Ｏ（電気／光変換器）１２、搬送波生成部１３、データ生成部１４、ＡＳＫ（Amplitude Shift Keying）変調部（振幅変調部）１５などを備えている。受信装置２は、Ｏ／Ｅ（光／電気変換器）２１、増幅器２２、２４、分離部２３、ＡＳＫ復調部２６、判定部２７などを備えている。なお、親局（又は放送局）及び子局（又は放送局）を光ファイバで接続して、無線信号、放送波信号などを中継する光中継システムの場合、親局及び子局（又は放送局）夫々には、送信装置１及び受信装置２を備えるような構成となる。
【００２１】
通信システム１００は、光ファイバ３を通じて、送受信する情報を有する主信号（例えば、２ＧＨｚ帯域の携帯電話の無線信号）と、主信号の周波数帯域と異なる周波数帯域（例えば、３１５ＭＨｚ帯域）の副信号とをアナログ光信号として伝送する光伝送システムである。
【００２２】
搬送波生成部１３は、発振器を備え、例えば、３１５ＭＨｚの正弦波形の搬送波（無変調信号）を生成し、生成した搬送波をＡＳＫ変調部１５へ出力する。データ生成部１４は、符号化回路などを備え、例えば、データレートが１ｋｂｐｓのビット列（例えば、「１」、「０」など）で構成されるデータ信号を生成し、生成したデータ信号をＡＳＫ変調部１５へ出力する。データ信号としては、どのような形式、フォーマットのデータでもよく、エンコーダ（不図示）により予め定められた規則で符号化されている。
【００２３】
ＡＳＫ変調部１５は、広帯域オペアンプ、ミキサ（変調器）、ダイオードなどを備え、搬送波をデータ信号で変調し、変調して得られた副信号（変調信号）を合成部１１へ出力する。より具体的には、例えば、ＡＳＫ変調部１５は、「１」のデータが入力されている間は、搬送波を出力し、「０」のデータが入力されている間は、搬送波の出力を停止することにより、副信号を生成する。
【００２４】
合成部１１は、広帯域の合成器を備え、主信号と副信号とを合成し、合成した電気信号をＥ／Ｏ１２へ出力する。なお、合成器に代えて共用器を用いる構成でもよい。
【００２５】
Ｅ／Ｏ１２は、所定の波長帯のレーザ光を出力する半導体レーザを備え、合成部１１から入力された電気信号（主信号と副信号との合成）を所定の波長帯の光信号に変換し、光ファイバ３を通じて、変換した光信号を受信装置２へ伝送する。
【００２６】
Ｏ／Ｅ２１は、フォトダイオードを備え、光ファイバ３を通じて送信装置１から伝送された光信号を電気信号に変換し、変換した電気信号を増幅器２２を介して分離部２３へ出力する。
【００２７】
分離部２３は、２ＧＨｚ帯域の主信号を通過させるフィルタ、及び３１５ＭＨｚ帯域の副信号を通過させるフィルタなどを組み合わせた共用器（デュプレクサ）を備え、Ｏ／Ｅ２１から入力された電気信号を主信号と副信号とに分離する。分離部２３は、分離した主信号を増幅器２４へ出力するとともに、分離した副信号をＡＳＫ復調部２６へ出力する。なお、分離部２３は、共用器に代えて、所要のフィルタ、分配器などを備える構成であってもよい。
【００２８】
図２は主信号及び副信号の周波数スペクトラムの例を示す模式図である。図２（ａ）は合成部１１で合成されＥ／Ｏ１２に入力される主信号及び副信号（電気信号）を示す。図中ｆｍは主信号の周波数であり、例えば、２ＧＨｚ帯域であり、ｆｓは副信号の周波数であり、例えば、３１５ＭＨｚ帯域である。副信号は変調信号であり、ｆｓの両側に側波帯が存在する。
【００２９】
図２（ｂ）は分離部２３で分離され増幅器２４に入力される主信号を示し、図２（ｃ）は分離部２３で分離されＡＳＫ復調部２６に入力される副信号を示す。図に示すように、主信号と副信号との周波数間隔を広く（例えば、２ＧＨｚと３１５ＭＨｚ）することにより、主信号と副信号との分離が容易になるとともに、主信号及び副信号を分離するためのフィルタ特性を簡略化することができ、フィルタの低コスト化、小型化を実現することができる。
【００３０】
増幅器２４は、分離部２３から入力された主信号を増幅し、増幅された主信号はアンテナ２５を介して無線信号として送信される。
【００３１】
図３はＡＳＫ復調部２６の構成を示すブロック図である。ＡＳＫ復調部２６は、検波回路２６１、ＤＣアンプ２６２、コンパレータ２６３、２６６、バッファ２６４、２６７、ピークホールド２６５、同期回路２６８などを備える。
【００３２】
検波回路２６１は、分離部２３から入力された副信号をダイオード又は整流器などで半波又は両波整流して検波し、検波信号（ＤＣ信号）をＤＣアンプ２６２へ出力する。
【００３３】
ＤＣアンプ２６２は、検波回路２６１から入力されたＤＣ信号を増幅し、増幅したＤＣ信号をコンパレータ２６３及びピークホールド２６５へ出力する。
【００３４】
コンパレータ２６３は、ＤＣアンプ２６２から入力されたＤＣ信号と基準電圧Ｖ１とを比較し、例えば、ＤＣ信号の電圧レベルが基準電圧Ｖ１より大きい場合には、ハイレベルの信号を出力し、ＤＣ信号の電圧レベルが基準電圧Ｖ１より小さい場合には、ローレベルの信号を出力することにより、ＤＣ信号を基準電圧Ｖ１に基づいてデータ信号を生成する。コンパレータ２６３は、生成したデータ信号をバッファ２６４へ出力する。
【００３５】
バッファ２６４は、コンパレータ２６３から入力されたデータ信号のレベル変換（電圧レベル変換）を行い、レベル変換されたデータ信号を同期回路２６８へ出力する。
【００３６】
同期回路２６８は、バッファ２６４から入力されたデータ信号からデータレート（例えば、１ｋｂｐｓ）に従ってサンプリングのタイミング抽出を行い、１ｍｓｅｃ間隔でデータ信号をサンプリングして得られる復調データを判定部２７へ出力する。
【００３７】
ピークホールド２６５は、ＤＣアンプ２６２から入力されたＤＣ信号の最大値（復調データのハイレベルに相当するレベル）を一定時間保持し、保持したホールド信号をコンパレータ２６６へ出力する。
【００３８】
コンパレータ２６６は、ピークホールド２６５から入力されたホールド信号と基準電圧Ｖ２とを比較し、例えば、ホールド信号の電圧レベルが基準電圧Ｖ２より大きい場合には、ハイレベルの信号をバッファ２６７を介して判定部２７へ出力し、ホールド信号の電圧レベルが基準電圧Ｖ２より小さい場合には、ローレベルの信号をバッファ２６７を介して判定部２７へ出力する。
【００３９】
これにより、副信号の信号レベルは、ＡＳＫ復調できる程度の信号レベルで足りるため、主信号に比較して十分に小さい信号レベル（例えば、−２０ｄＢ程度）を用いることができ、光ファイバに送出できる主信号のレベルが制限されることがなく、送信装置で使用できる電気信号の大部分を主信号で占めることができる。
【００４０】
図４はＡＳＫ復調部２６の各部の電圧波形の例を示す模式図である。図４（ａ）は検波回路２６１で検波された検波信号を示す。図４（ｂ）は検波信号を基準電圧Ｖ１に基づいて二値化した二値化波形を示す。図に示すように、二値化波形のハイレベルは、データ「１」とし、二値化波形のローレベルは、データ「０」としてデータ信号が表される。さらに、データ信号は、図に示すように同期回路２６８において送信装置１で生成されるデータ信号のデータレートに合わせてサンプリングされ、復調データが生成される。また、図４（ｃ）はピークホールド２６５でホールドされたホールド信号を示す。図４（ｄ）は検波信号を基準電圧Ｖ２に基づいて二値化した副信号の信号レベルを示す。
【００４１】
判定部２７は、ＣＰＵ、メモリ、デコーダなどを備え、ＡＳＫ復調部２６から入力された復調データ、及び副信号の信号レベルに基づいて、光ファイバ３における多重光反射の有無を判定し、これにより通信品質の劣化を検出する。判定部２７は、光ファイバ３で生じた多重光反射による通信品質の劣化を検出した場合、これを報知するとともに、増幅器２４へ停止信号を出力し、アンテナ２５から主信号が送信されるのを停止する。
【００４２】
より具体的には、判定部２７は、ＡＳＫ復調部２６から入力された復調データをデコーダで復号し、復号化されたデータが予め定められた元のデータと一致するか否かを判定する。判定部２７は、復号化されたデータが元のデータと一致する場合には、多重光反射が発生していないと判定する。また、判定部２７は、復号化されたデータが元のデータと一致しない場合には、多重光反射によるノイズの影響でデータの誤りが生じたとして、多重光反射が発生したと判定する。
【００４３】
また、判定部２７は、ＡＳＫ復調部２６から入力された復調データに基づいて、多重光反射が発生したと判定した場合において、ＡＳＫ復調部２６から入力された副信号の信号レベルがハイレベルの信号であるときは、多重光反射の発生は正しい判定であるとして、最終的に多重光反射が発生したと判定する。
【００４４】
また、判定部２７は、ＡＳＫ復調部２６から入力された復調データに基づいて、多重光反射が発生したと判定した場合において、ＡＳＫ復調部２６から入力された副信号の信号レベルがローレベルの信号であるときは、最終的に多重光反射以外の要因による異常が発生したと判定する。
【００４５】
復調して得られた元のデータに誤りが生ずる要因として、光伝送路における多重光反射の他に、送信装置１のＥ／Ｏ１２若しくは受信装置２のＯ／Ｅ２１の故障、又は光回線の損失増加などにより、副信号の信号レベルの低下が想定される。受信装置２で分離した副信号の信号レベル（ホールド信号）を基準電圧Ｖ２と比較した比較結果に基づいて、多重光反射による異常の有無を判定する。例えば、信号レベルが基準電圧Ｖ２より小さい場合には、通信品質の劣化が多重光反射以外の要因によるものであると判定し、また、信号レベルが基準電圧Ｖ２より大きい場合には、通信品質の劣化が多重光反射以外の要因ではなく、多重光反射によるものであると判定する。これにより、多重光反射以外の要因による通信品質の劣化を層別して、さらに精度良く多重光反射による通信品質の劣化を判定することができる。
【００４６】
これにより、主信号の送受信を行いつつ多重光反射の発生を早期に検出することができるとともに、多重光反射が発生した場合には、他の通信チャネルへの影響を防止し、多重光反射に対する対応を迅速に行うことができる。
【００４７】
次に本発明の通信システム１００の動作について説明する。送信装置１は、主信号と副信号とを合成した電気信号を光信号に変換し、光ファイバ３を通じて、変換した光信号を受信装置２へ送信する。光ファイバ３などの光伝送路で多重光反射が発生した場合、伝送する光信号にガウス状のノイズが発生する。変調信号である副信号の場合には、副信号の側波帯に多重光反射によるノイズが生じる。
【００４８】
図５は多重光反射が発生した場合の副信号の周波数スペクトラムの例を示す模式図である。図に示すように、多重光反射が発生した場合、キャリアの周りにノイズが生ずる。
【００４９】
受信装置２は、受信した光信号を電気信号に変換し、変換した電気信号を主信号と副信号とに分離する。側波帯に生じたノイズの影響により、分離された副信号を復調して得られたデータ信号には、誤りが生じる。
【００５０】
図６及び図７は多重光反射が発生の有無に応じたＡＳＫ復調部２６の検波信号の例を示す模式図である。図６（ａ）は送信装置１で生成されて送信されるデータ信号波形及びデータの例を示す。図の例では、データ（ビット列）は、「１」「０」「１」「０」「０」「１」「０」である。
【００５１】
図６（ｂ）は多重光反射が発生していない場合の検波信号の例、図６（ｃ）は多重光反射が発生していない場合のバッファ２６４の出力信号（二値化波形）の例である。多重光反射が発生していない場合、同期回路２６８でサンプリングする時点でノイズが重畳していないため、復調データは、「１」「０」「１」「０」「０」「１」「０」となり、送信されたデータと同一となる。
【００５２】
図７（ａ）は多重光反射が発生した場合の検波信号の例である。多重光反射が発生した場合、検波信号にノイズが重畳し、ローレベル（基準電圧Ｖ１以下）であるべき部分の波形が基準電圧Ｖ１より大きくなる。図７（ｂ）は多重光反射が発生した場合のバッファ２６４の出力信号（二値化波形）の例である。同期回路２６８でサンプリングする時点でノイズにより検波信号の電圧レベルが基準電圧Ｖ１を超えた部分でデータに誤りが生じる。例えば、図７（ｂ）に示すように、復調データは「１」「１」「１」「０」「０」「１」「１」となり、送信されたデータと異なる。図７（ｃ）は副信号の信号レベルである。
【００５３】
判定部２７は、ＡＳＫ復調部２６から入力された復調データが送信データと一致していない結果から多重光反射が発生したと判定し、さらに副信号の信号レベルがハイレベル信号であることから、最終的に光ファイバ３における多重光反射が発生していると判定し、通信品質の劣化を検出し、これを報知するとともに、増幅器２４へ停止信号を出力し、アンテナ２５から主信号が送信されるのを停止する。上述の実施の形態では、バッファ２６４の出力信号を同期回路２６８でサンプリングした復調データに基づいて、多重光反射の発生を判定するため、サンプリングポイントのみで判定することができ、簡便な処理で実現することができる。
【００５４】
図８は伝送信号の周波数スペクトラムの例を示す模式図である。伝送信号（無変調波）の周波数は３１５ＭＨｚ、光ファイバの長さを約１０ｋｍとした場合を示す。図８（ａ）は、多重光反射が発生していないときの周波数スペクトラムを示し、図８（ｂ）は、多重光反射が発生しているときの周波数スペクトラムを示す。例えば、図に示すようなノイズのレベルと伝送信号（副信号）のレベルとの差が約２０ｄＢ程度より小さい場合には、多重光反射の発生により通信品質の劣化が生じる可能性が高くなる。
【００５５】
実施の形態２
実施の形態１では、所定のビット列からなるデータ（例えば、判定データ）を有するデータ信号を用い、復調データが元のデータと一致するか否かに基づいて、多重光反射の発生を判定する構成であったが、これに限定されるものではなく、多重光反射の発生を判定するためには、判定データに代えてデータ信号のデータレートのみを用いる構成とすることもできる。
【００５６】
図９は実施の形態２のＡＳＫ復調部２６の構成を示すブロック図である。ＡＳＫ復調部２６は、検波回路２６１、ＤＣアンプ２６２、コンパレータ２６３、２６６、バッファ２６４、２６７、ピークホールド２６５などを備え、実施の形態１との相違は、同期回路２６８を有しない点である。
【００５７】
検波回路２６１は、分離部２３から入力された副信号をダイオード又は整流器などで半波又は両波整流して検波し、検波信号（ＤＣ信号）をＤＣアンプ２６２へ出力する。
【００５８】
ＤＣアンプ２６２、コンパレータ２６３、バッファ２６４、ピークホールド２６５、コンパレータ２６６、バッファ２６７は実施の形態１と同様であるので、同一符号を付して説明を省略する。
【００５９】
図１０は検波回路２６１で検波された検波信号の例を示す模式図である。図１０（ａ）は副信号を検波回路２６１で検波して得られる検波信号である。図１０（ｂ）は検波信号を基準電圧Ｖ１に基づいて二値化した二値化波形を示す。図に示すように、二値化波形のハイレベルは、データ「１」とし、二値化波形のローレベルは、データ「０」としてデータ信号が表される。また、図１０（ｃ）はピークホールド２６５でホールドされたホールド信号を示す。図１０（ｄ）は検波信号を基準電圧Ｖ２に基づいて二値化した副信号の信号レベルを示す。
【００６０】
判定部２７は、復調して得られたデータ信号のデータレートと送信時の所定のデータレートに基づいて、多重光反射の発生を判定する。より具体的には、送信時のデータレートが１ｋｂｐｓである場合、復調データのオン状態（ハイレベル）、及びオフ状態（ローレベル）の継続時間が常に１ｍｓｅｃ±所定値（例えば、０．１ｍｓｅｃ）の範囲内であれば、多重光反射が発生していないと判定する。一方、副信号を復調して得られた復調データのオン状態（ハイレベル）、及びオフ状態（ローレベル）の継続時間が１ｍｓｅｃ±所定値（例えば、０．１ｍｓｅｃ）の範囲外であれば、多重光反射が発生したと判定する。
【００６１】
図１１は多重光反射が発生した場合のＡＳＫ復調部２６の検波信号の例を示す模式図である。図１１（ａ）は送信装置１で生成されて送信されるデータ信号波形及びデータの例を示す。例えば、データ信号のデータレートは１ｋｂｐｓであり、データが「１」及び「０」が交互に繰り返されるとともに、データが「１」及び「０」である時間が夫々１ｍｓｅｃとなる。図の例では、データ（ビット列）は、「１」「０」「１」「０」である。
【００６２】
図１１（ｂ）は多重光反射が発生した場合の検波信号の例である。多重光反射が発生した場合、検波信号にノイズが重畳し、ローレベル（基準電圧Ｖ１以下）であるべき部分の波形が基準電圧Ｖ１より大きくなる。図１１（ｃ）に示すように、復調データは、ノイズにより検波信号の電圧レベルが基準電圧Ｖ１を超えた部分でハイレベル（「１」）となり、検波信号の電圧レベルが基準電圧Ｖ１以下の部分でローレベル（「０」）となる。すなわち、多重光反射の発生により、復調データの「０」の時間が約１ｍｓｅｃ間継続しない。
【００６３】
判定部２７は、復調データのハイレベル（「１」）の時間及びローレベル（「０」）の継続時間が、例えば、１ｍｓｅｃ±０．１ｍｓｅｃの範囲内にあるか否かを判定する。図１０（ｃ）に示すように、判定部２７は、まず、「１」の時間が約１ｍｓｅｃ間継続した後、「０」の時間が約１ｍｓｅｃ間継続すべきところ、「０」の時間が約１ｍｓｅｃ間継続しないことを検出することで、多重光反射が発生したことを判定する。
【００６４】
実施の形態１に比べて、復調データの「１」及び「０」の継続時間を検出することにより、多重光反射の発生によりノイズが検波信号に重畳する場合、ノイズが検波信号のいずれの部分に重畳してもノイズを検出することができ、多重光反射の発生を精度良く判定することができる。
【００６５】
上述の実施の形態２では、復調データの「１」及び「０」の継続時間が１ｍｓｅｃ±所定値（例えば、０．１ｍｓｅｃ）の範囲内にあるか否かに基づいて、多重光反射の発生の有無を判定する構成であったが、これに限定されるものではなく、例えば、復調データの「１」及び「０」の時間を累積して加算して、復調データの「１」及び「０」の継続時間が１ｍｓｅｃのｎ倍±所定値（例えば、０．１ｍｓｅｃ）の範囲内にあるか否かに基づいて、多重光反射の発生の有無を判定する構成であってもよい。ただし、ｎは自然数である。
【００６６】
以上説明したように、本発明にあっては、副信号の高調波成分を用いる必要がなく、副信号のレベルを従来よりも小さくできるとともに、複雑なフィルタを構成することなく簡便な構成で多重光反射による通信品質の劣化を早期に検出することができる。また、副信号の信号レベルは、振幅復調できる程度の信号レベルで足りるため、主信号に比較して十分に小さく信号レベルを用いることができ、光ファイバに送出できる主信号のレベルが制限されることがなく、送信装置に入力される信号レベルの大部分を主信号で占めることができる。また、送信時のデータと受信時のデータの一致不一致に基づいて多重光反射による異常の有無を判定するため、多重光反射による通信品質の劣化を精度良く判定することができる。さらに、多重光反射以外の要因による通信品質の劣化を層別して、さらに精度良く多重光反射による通信品質の劣化を判定することができる。
【００６７】
上述の実施の形態においては、主信号の周波数を２ＧＨｚ、副信号の周波数を３１５ＭＨｚとして説明したが、周波数帯域はこれに限定されるものではなく、所要の主信号及び該主信号と周波数の異なる副信号を使用することができる。
【００６８】
上述の実施の形態では、送信装置１から受信装置２へ主信号及び副信号を送信する場合について説明したが、本発明は、上り方向及び下り方向の双方向に光信号を伝送する光伝送システムにも適用することができる。例えば、上り方向と下り方向とで主信号の周波数が異なる場合、主信号夫々の周波数と異なるとともに、相互に異なる周波数の上り方向用の副信号及び下り方向用の副信号を用いることができる。
【００６９】
上述の実施の形態においては、多重光反射により異常と判定した場合、受信装置２でアンテナ２５を介して主信号の送信を停止する構成であったが、これに限定されるものではなく、送信装置１に多重光反射の判定結果を送信し、送信装置１で主信号の送信を停止させるようにしてもよい。
【００７０】
上述の実施の形態においては、振幅変調方式を用いる構成であったが、変調方式はこれに限定されるものではなく、他の変調方式、例えば、周波数変調方式、位相変調方式などを用いる構成であってもよい。なお、振幅変調方式を採用した場合には、ノイズによる影響を受け易いため、他の変調方式に比べて精度良く多重光反射の発生の有無を判定することができる。
【図面の簡単な説明】
【００７１】
【図１】本発明に係る通信システムを示す構成図である。
【図２】主信号及び副信号の周波数スペクトラムの例を示す模式図である。
【図３】ＡＳＫ復調部の構成を示すブロック図である。
【図４】ＡＳＫ復調部の各部の電圧波形の例を示す模式図である。
【図５】多重光反射が発生した場合の副信号の周波数スペクトラムの例を示す模式図である。
【図６】多重光反射が発生の有無に応じたＡＳＫ復調部の検波信号の例を示す模式図である。
【図７】多重光反射が発生の有無に応じたＡＳＫ復調部の検波信号の例を示す模式図である。
【図８】伝送信号の周波数スペクトラムの例を示す模式図である。
【図９】実施の形態２のＡＳＫ復調部の構成を示すブロック図である。
【図１０】検波回路で検波された検波信号の例を示す模式図である。
【図１１】多重光反射が発生した場合のＡＳＫ復調部の検波信号の例を示す模式図である。
【符号の説明】
【００７２】
１  送信装置
２  受信装置
３  光ファイバ
１１  合成部
１２  Ｅ／Ｏ
１３  搬送波生成部
１４  データ生成部
１５  ＡＳＫ変調部
２１  Ｏ／Ｅ
２２、２４  増幅器
２３  分離部
２６  ＡＳＫ復調部
２７  判定部
２６１  検波回路
２６２  ＤＣアンプ
２６３、２６６  コンパレータ
２６４、２６７  バッファ
２６５  ピークホールド
２６８  同期回路
【図１】
2007281817.tif 000003
【図２】
2007281817.tif 000004
【図３】
2007281817.tif 000005
【図４】
2007281817.tif 000006
【図５】
2007281817.tif 000007
【図６】
2007281817.tif 000008
【図７】
2007281817.tif 000009
【図８】
2007281817.tif 000010
【図９】
2007281817.tif 000011
【図１０】
2007281817.tif 000012
【図１１】
2007281817.tif 000013